【事件の表示】
　上記当事者間の登録第４７３０６９５号商標の登録取消審判事件について、次のとおり審決する。
【結　論】
　本件審判の請求は、成り立たない。
　審判費用は、請求人の負担とする。
【理　由】
第１　本件商標
　本件登録第４７３０６９５号商標（以下「本件商標」という。）は、「Ｓｅｂｉｌｉｙａ」の欧文字を標準文字で表してなり、平成１５年３月１９日に登録出願、第２５類「ティーシャツ，スウェットシャツ，セーター，その他の被服，ガーター，靴下止め，ズボンつり，バンド，ベルト，履物，仮装用衣服，運動用特殊衣服，運動用特殊靴」を指定商品として、同１５年１２月５日に設定登録されたものである。
　なお、本件審判請求の登録は、同２３年５月２５日にされている。
　
第２　請求人の主張
　請求人は、本件商標の登録を取り消す、審判費用は被請求人の負担とする、との審決を求め、その理由を以下のように述べ、証拠方法として、甲第１号証を提出している。
　本件商標は、商標権者、専用使用権者、通常使用権者のいずれの者も使用しておらず、不使用が日本国内において３年以上継続している。
　なお、請求人は、被請求人の答弁及び口頭審理における陳述に対して、何ら弁駁をしていない。
　
第３　被請求人の答弁
　被請求人は、結論同旨の審決を求め、答弁及び口頭審理における陳述において、その理由を以下のように述べ、証拠方法として、乙第１号証ないし乙第１３号証を提出した。
１　答弁の理由
（１）通常使用権者による商標使用の事実
　被請求人は、本件商標登録後、平成１８年９月過ぎまで本件商標を指定商品中の「第２５類　セーター（被服）」等について自ら使用していたが、本件審判請求の登録の日、すなわち平成２３年５月２５日より前３年の間（以下「要証期間」という。）は、通常使用権者である株式会社セビリア（以下「セビリア」という場合がある。英語名称：Ｓｅｂｉｌｉｙａ）を専ら通じて本件商標をセーター（被服）等に使用し、現在まで使用を継続している。それらの事実を立証する証拠方法として、乙第２号証ないし乙第５号証を提出する。
　乙第２号証は、被請求人が本件商標のタグ及び襟ネームを付した「女性用セーター」を中国で製造後、同１８年（２００６年）９月、香港を経由して我が国に輸入（商標法第２条第３項第２号）した際のインボイス等の輸入書類と商品サンプル台帳の写しである。
　乙第３号証は、本件商標を付した商品等の輸入販売会社として昭和５９年に設立されたセビリアを介し、同２０年（２００８年）９月（日本への到着は、同年１２月）、上記と同じ本件商標のタグを付した「女性用セーター」を香港から我が国に輸入した際のインボイス等の取引書類と商品サンプル台帳の写しである。セビリアは、本件商標の設定登録と同時に被請求人から本件商標の使用権を許諾された通常使用権者である。添付の取引書類には、輸入主体である通常使用権者の名称であり、かつ、自他商品の識別標識でもある「ＳＥＢＩＬＩＡ」（審決注：「ＳＥＢＩＬＩＹＡ」の誤記と認められる。以下同じ。）が記載されていることから、当該書類を頒布する行為は、商標法第２条第３項第８号の使用にも該当する。
　乙第４号証は、同２２年（２０１０年）９月、セビリアが、本件商標のタグ及び襟ネームを付した「女性用セーター」を香港から我が国に輸入した際のインボイス等の取引書類と商品サンプル台帳の写しである。乙第３号証と同様、当該取引書類にも輸入主体の名称であり、かつ、商品の出所表示である「ＳＥＢＩＬＩＡ」が記載されている。
　乙第５号証は、同１８年以降、同２０年、同２２年を経て現在まで継続して使用している本件商標の付された女性用セーターの商品タグ及び衿ネームのサンプルである。
　なお、被請求人である株式会社スカーレル（以下「スカーレル」という。）と通常使用権者であるセビリアは、両社の代表取締役社長が親子の関係にあること等から、本件商標の設定登録時（同１５年１２月５日）、書面による商標使用権許諾契約書を作成していなかった。念のため、かかる使用許諾契約が当事者間で有効に成立し、存続していることを証明するため、商標使用権許諾契約証明書を乙第６号証として提出する。
（２）結論
　以上により、被請求人の通常使用権者が、商品「セーター（被服）」について要証期間内に日本国内において本件登録商標を使用している事実が明らかにされた。
２　口頭審理（平成２４年８月２４日付け口頭審理陳述要領書）における陳述
（１）乙第２号証ないし乙第５号証の関連性等について
　ア　乙第２号証ないし乙第４号証に添付の「商品サンプル台帳」は、問屋や小売店等の顧客との商談の際に、被請求人の商品を説明するために用いる他、出荷業務や在庫を管理する際に参照するものである。
　イ　乙第５号証に添付のプラスチック製の「カードケース」（商品タグ）に入った「ラベル」（商標、サイズ及び品質等の表示ラベル）及び「衿ネーム」は、上記セーターが製造される中国の工場（台湾籍の法人Ｒｅａｌｔｏｎ　Ｌｉｍｉｔｅｄが所有する）において付され、香港を経由して日本に輸入される。
　ウ　乙第２号証ないし乙第４号証の「インボイス」中の「Ｄｅｓｃｒｉｐｔｉｏｎ　ｏｆ　Ｇｏｏｄｓ」欄の四桁の数字と各商品サンプル台帳中の「Ｎｏ．」欄に記載の四桁の数字は対応している。すなわち、乙第２号証中の商品サンプル台帳の「６８０２」、「６８２２」及び「６８２５」は「Ｄｅｓｃｒｉｐｔｉｏｎ　ｏｆ　Ｇｏｏｄｓ」欄に記載される同じ数字と、乙第３号証中の商品サンプル台帳の「８８０７」、「８８１１」及び「８８１７」は「Ｄｅｓｃｒｉｐｔｉｏｎ　ｏｆ　Ｇｏｏｄｓ」欄に記載される同じ数字と、乙第４号証中の商品サンプル台帳の「１０１２」、「１０２４」及び「１０６０」は「Ｄｅｓｃｒｉｐｔｉｏｎ　ｏｆ　Ｇｏｏｄｓ」欄に記載される同じ数字と、それぞれ対応する。なお、これらの数字が一致することは税関を通過するための条件である。
　今般、乙第３号証及び乙第４号証の「インボイス」中のその他の四桁の数字に対応する商品サンプル台帳をそれぞれ追加して提出する（乙７及び乙８）。
　エ　乙第２号証ないし乙第４号証の「商品サンプル台帳」における展開色欄の直下の「Ｎｏ．」欄に記載の二桁の数字と、乙第５号証中の「ラベル」に記載された「Ｎｏ．」の数字とは対応していない。
　「商品サンプル台帳」における展開色欄の直下の「Ｎｏ．」欄に記載の二桁の数字は、その右に大きく表示される商品サンプルの色の種類を表わす。その下の複数のサンプル写真の直下の数字と同様であり、これを基に顧客から注文を受け納品する。
（２）乙各号証に関連する書類の提出及び事項の説明
ア　乙第５号証のラベルに表示された「Ｎ０．１０８１」の商品に対応するインボイス等、商品サンプル台帳、及び、売上伝票（いずれも平成２２年のもので要証期間内のもの）を提出する（乙９）。「Ｎ０．１０８１」は他のセーターの商品ラインと異なり、カシミヤ１００％のカーディガン用の番号であるが、同じく本件商標を使用したものである。乙第５号証に貼付した「カードケース」及び「ラベル」はとカシミヤ１００％の商品に用いたものであったので、同じく乙第５号証に貼付した「イタリ一系ラベル」に対応する「カードケース」及び「ラベル」は今般、乙第１０号証として提出しなおす。
　イ　乙第３号証及び乙第４号証のインボイス中の「Ｄｅｓｃｒｉｐｔｉｏｎ　ｏｆ　Ｇｏｏｄｓ」欄の四桁の数字（「８８？？」及び「１０？？」）に対応し、当該商品が取引されたことを証する売上伝票（有限会社ロード宛て）及び納品書（株式会社清水屋及び「あかのれん」社宛て）を提出する（乙１１）。
　エ　実際に取引した商品のサンプル（「衿ネーム」を確認できるもの）を、口頭審理の当日に持参する予定である。
（３）上記以外で本件商標が使用されている証拠として、本件商標のタグおよび衿ネームを付した「女性用セーター」を中国で製造後、同２１年（２００９年）８月から９月にかけて三回に分けて輸入した際のインボイス等の輸入書類と商品サンプル台帳の写しを提出する（乙１２）。
　当該インボイス中の「Ｄｅｓｃｒｉｐｔｉｏｎ　ｏｆ　Ｇｏｏｄｓ」と当該商品サンプル中の四桁の数字はそれぞれ対応している。
　
第４　当審の判断
１　被請求人の提出した証拠によれば、以下の事実を認めることができる。
（１）乙第５号証は、大きく表された「Ｓｅｂｉｌｉｙａ」の文字と小さく表された「ＣＯＬＬＥＣＴＩＯＮ」の文字が二段に刺繍された「襟ネーム」の現物、同じく、表側の中央に大きな「Ｓｅｂｉｌｉｙａ」の文字と小さな「ＣＯＬＬＥＣＴＩＯＮ」の文字が金色で表示されたプラスチック製の「カードケース」（裏側にラベルが入っている。）の現物、上記カードケースに入れられた「ラベル」の現物が、台紙に貼付されている。そして、上記のラベルには、「Ｓｅｂｉｌｉｙａ」、「ＮＯ．１０８１」、「ＱＵＡＬ．カシミヤ　１００％」、「Ｍａｄｅ　ｉｎ　Ｃｈｉｎａ」の表示がなされている。
（２）乙第６号証は、スカーレルとセビリアが商標使用権許諾契約を締結し、現在も有効であることを証明する２０１１年７月２６日付けの両者による「商標使用権許諾契約証明書」である。
（３）乙第９号証は、乙第５号証のラベルに表示された「ＮＯ．１０８１」の商品に対応する「インボイス」、「商品サンプル台帳」及び「売上伝票」である。
　インボイスは、日付が「ＳＥＰ．２７，２０１０」であり、「ＭＥＳＳＥＲ」（輸入者）欄に「ＳＥＢＩＬＩＹＡ」及び住所の記載、「ＦＲＯＭ」（出港地）欄に「ＴＩＡＮＪＩＮ　ＰＯＲＴ」（天津港）の記載、「ＤＥＳＣＲＩＰＴＩＯＮ」（説明）欄に「ＬＡＤＩＥ’Ｓ　ＳＷＥＡＴＥＲＳ」、「１０８１」等の記載がある。
　商品サンプル台帳は、「Ｎｏ．１０８１」、「品名　無地丸首カーディガン」、「品質　カシミヤ　１００％」の記載、及び色の異なる数種類の同商品の写真が掲載されている。
　売上伝票の１枚目には、「間瀬株式会社　様」、「株式会社　セビリヤ」（以下「セビリヤ」という場合がある。）、「２２年１１月１７日」、「伝票番号／２０２１３８」、「商品コード・品番・品名等」欄に「１０８１」、「数量」欄に「２１」等の記載がある。
　
２　前記１で認定した事実によれば、以下のとおり判断するのが相当である。
　なお、被請求人の主張及び提出された証拠中には、「株式会社セビリア」と「株式会社セビリヤ」の記載があるところ、両表記は、同一の会社であると推認される。
（１）使用の時期について
　乙第５号証及び乙第９号証によれば、セビリヤは、「女性用セーター」を中国より船便で輸入したことが認められる（乙９、２０１０年９月２７日のインボイス）。そして、該「女性用セーター」には、本件商標が表示された襟ネーム及びカードケース・ラベルが付されていることが優に推認できるものである（乙５）。
　そして、乙第９号証の売上伝票によって、セビリヤは、上記で輸入した本件商標が表示された襟ネーム及びカードケース・ラベルが付されている「女性用セーター（カーディガン）」を要証期間内の平成２２年１１月１７日に間瀬株式会社に販売したものである。
（２）使用者について
　乙第６号証の「商標使用権許諾契約証明書」によれば、セビリアは、本件商標の使用権許諾契約を締結し、スカーレルによって、平成１５年１２月５日より通常使用権者として黙示の許諾があったと認め得るものである。
（３）使用に係る商品について
　本件商標が使用されている商品は、「女性用セーター（カーディガン）」であるから、第２５類の「被服」の範ちゅうに属する商品と認められるものである。
（４）使用に係る商標について
　商品に付された襟ネーム及びカードケース・ラベルにおける使用商標は、「Ｓｅｂｉｌｉｙａ」の文字を普通に表示してなるものであるから、標準文字である本件商標と社会通念上同一の商標と認めることができる。
（５）小括
　上記した事実によれば、本件商標が付された「女性用セーター（カーディガン）」が中国より輸入され、要証期間内の平成２２年１１月頃に、日本国内の間瀬株式会社に販売されたものであるから、その使用は、商標法第２条第３項第２号における、商品に標章を付したものを譲渡し、譲渡のために輸入する行為に該当するものと認めることができる。
　
３　むすび
　以上のとおりであるから、被請求人は、要証期間内に日本国内において、通常使用権者が請求に係る指定商品「被服」に含まれる「女性用セーター（カーディガン）」について、本件商標と社会通念上同一と認められる商標の使用をしていたことを証明したものと認めることができる。
　したがって、本件商標の登録は、商標法第５０条の規定により、取り消すことができない。
　よって、結論のとおり審決する。